(57)【要約】      （修正有）【課題】磁力により、長さ調整部の閉状態を維持することができ、簡易な操作で迅速に開状態とすることもできるベルトを提供する。【解決手段】永久磁石１１と、永久磁石を内包する帯状部材６と、帯状部材に固着される連結具２と、帯状部材に回動自在に装着されるバックル８と、バックルに回動自在に配設されるピン９と、連結具により連結されるベルト本体１０とを有しており、連結具は、支持部４と、支持部に軸部材１２を介して回動自在に配設される回動部材３とを有し、連結具が閉じた状態のときには、回動部材が前記永久磁石の磁力により前記帯状部材に当接した状態が維持される。【選択図】図１
0003223491.tif 000002
【実用新案登録請求の範囲】
【請求項１】
永久磁石と、
前記永久磁石を内包する帯状部材と、
前記帯状部材に固着される連結具と、
前記帯状部材に回動自在に装着されるバックルと、
前記バックルに回動自在に配設されるピンと、
前記連結具により連結されるベルト本体と、を有し、
前記連結具は、支持部と、前記支持部に軸部材を介して回動自在に配設される回動部材とを有し、前記連結具が閉じた状態のときには、前記回動部材が前記永久磁石の磁力により前記帯状部材に当接した状態が維持される
ベルト。
【請求項２】
前記連結具の前記回動部材は、刃部を有し、前記連結具が閉じた状態のときには、前記刃部が前記ベルト本体に噛合して当該ベルト本体の連結状態が維持される
請求項１に記載のベルト。
【請求項３】
前記連結具の前記回動部材は、突出部を有し、前記連結具が閉じた状態のときには、前記突出部が、前記永久磁石の磁力により前記帯状部材に当接した状態が維持される
請求項１又は請求項２に記載のベルト。
【考案の詳細な説明】
【技術分野】
【０００１】
本考案は、ベルト本体の長さが調節可能なベルトに関する。
【背景技術】
【０００２】
従来、ズボン等の衣服用のベルトは、着用者のウエストサイズに合わせて、ベルト本体の長さを調整できるようになっている。例えば、ベルト止金具を用いたベルトの場合には、ベルト本体の長さを着用者のウエストサイズに合わせて裁断した後、当該ベルト本体の一端をベルト止め金具により挟持することになる。
【０００３】
例えば、特許文献１では、バックルのベルト止金具が開示されている。このベルト止金具は、該止爪を前記留金具本体の掛止部片に挿入させると、該止爪の両側端に設けた圧入部が掛止部片の先端内面に設けた凹窪状の固定部に係脱可能に係合して固定するようになっており、湾曲片の先端部分の両側には、該掛止部片の上端と掛止するように、外方に突出させた係止部を、該掛止部片の上端に係止させて、該湾曲片が下方に落ち込まないように構成されている。
【先行技術文献】
【特許文献】
【０００４】
【特許文献１】実用新案登録第３０６３５４８号公報
【考案の概要】
【考案が解決しようとする課題】
【０００５】
しかしながら、特許文献１に開示されたものは、該止爪の両側端に設けた圧入部が掛止部片の先端内面に設けた凹窪状の固定部に係脱可能に係合して固定するようになっているので、一旦、ベルト本体の長さを調整し固定した後、着用者のウエストサイズの変化等により再度、調整するときには、係合による固定を解除する必要があり、その解除には強い力が必要となっていた。更に、止爪とベルト本体の間に隙間が少ないことから、係合の解除にあたり、煩雑な作業を伴っていた。
【０００６】
本考案は、このような課題に鑑みてなされたものであり、その目的とするところは、磁力により、連結具の閉状態を維持することができ、簡易な操作で迅速に開状態とすることもできるベルトを提供することにある。
【課題を解決するための手段】
【０００７】
上記課題を解決すべく、本考案の一態様に係るベルトは、永久磁石と、前記永久磁石を内包する帯状部材と、前記帯状部材に固着される連結具と、前記帯状部材に回動自在に装着されるバックルと、前記バックルに回動自在に配設されるピンと、前記連結具により連結されるベルト本体と、を有し、前記連結具は、支持部と、前記支持部に軸部材を介して回動自在に配設される回動部材とを有し、前記連結具が閉じた状態のときには、前記回動部材が前記永久磁石の磁力により前記帯状部材に当接した状態が維持される。
【０００８】
この態様において、前記連結具の前記回動部材は、刃部を有し、前記連結具が閉じた状態のときには、前記刃部が前記ベルト本体に噛合して当該ベルト本体の連結状態が維持されるようにしている。
【０００９】
さらに、この態様において、前記連結具の前記回動部材は、突出部を有し、前記連結具が閉じた状態のときには、前記突出部が、前記永久磁石の磁力により前記帯状部材に当接した状態が維持されるようにしている。
【考案の効果】
【００１０】
本考案によれば、磁力により、連結具の閉状態を維持することができ、簡易な操作で迅速に開状態とすることもできるベルトを提供することができる。
【図面の簡単な説明】
【００１１】
【図１】本考案の一実施形態に係るベルトの構成図である。
【図２】本考案の一実施形態に係るベルトの構成図である。
【図３】本考案の一実施形態に係るベルトの構成図である。
【考案を実施するための形態】
【００１２】
以下、図面を参照しつつ本考案の実施形態について説明する。
【００１３】
図１乃至図３には、本考案の実施形態に係るベルトの構成を示し説明する。より詳細には、図１は連結具にベルト本体を装着する前の様子を示し、図２は連結具にベルト本体を挿入し連結する過程を示し、図３は連結具にベルト本体を連結した様子を示す。
【００１４】
尚、これら図１乃至図３では、考案の特徴をわかり易く図示するために、ベルト本体挿通部材は、その図示を省略しているが、実際には帯状部材６を周回するようにベルト本体挿通部材が配設され、連結部２の中に一面が収納される。
【００１５】
これらの図に示されるように、ベルト１は、帯状部材６を備えている。この帯状部材６は、ベルト本体１０と同じ皮革又は合成皮革等で構成されており、バックル８及びピン９をその折返し端で回動自在に保持するように折返しされ、その押し返しによる生まれる内部空間に永久磁石１１が配設された後、その両端等が縫合される。かかる関係より、バックル８及びピン９は、帯状部材６の一端で回動自在に保持される。
【００１６】
帯状部材６の、バックル８、及びピン９の配設側とは反対の端部には、連結具２が固着されている。より詳細には、連結具２の固定部５の刃部５ａが帯状部材６の表面に噛合し連結具２の平面との間で帯状部材６を挟持することで、固着される。
【００１７】
この連結具２は、より詳細には、２つの支持部４と、これら２つの支持部４に軸部材１２を介して回動自在に配設される回動部材３とを有している。従って、連結具２が閉じた状態のときには、回動部材３が永久磁石１１の磁力により帯状部材６の表面に当接した状態が維持されることになる。換言すれば、閉じた状態が維持される。
【００１８】
連結具２の回動部材３は、先端が鋭利な複数の刃からなる刃部３ａを有しており、連結具２が閉じた状態のときには、刃部３ａがベルト本体１０に噛合するので、ベルト本体１０の連結具２への連結状態が維持される。また、連結具２の回動部材３は、突出部３ｂを有しており、連結具２が閉じた状態のときには、突出部３ｂが、永久磁石１１の磁力により帯状部材６の表面に当接した状態が維持される。
【００１９】
実際にベルト本体１０を連結具２に連結させるときには、先ず図１に示されるように連結具２の回動部材３を開いた状態にして、図２に示されるように、ベルト本体１０を連結具２の回動部材３の刃部３ａに当接させつつ連結具２の内部に押し込む。そして、図３に示されるように、連結具２の回動部材３を閉じる過程で、回動部材３の刃部３ａがベルト本体１０の表面に噛合し、こうしてベルト本体１０が連結具２にしっかりと連結されることになる。
【００２０】
なお、装着者のウエストサイズの変化等により、再度、ベルト本体１０の長さ調整の必要が生じ、連結具２を開いた状態にする場合には、ベルト本体１０をバックル装着側に向けて押し込めば、連結具２の回動部材３の刃部３ａが当該押し込みに連動してバックル装着側に回動するので、それにより回動部材３全体が回動し、連結具２が開いた状態になるので、開閉操作も簡易である。
【００２１】
以上説明したように、本考案の実施形態に係るベルトによれば、以下の効果が奏される。
【００２２】
第１に、永久磁石１１と、永久磁石１１を内包する帯状部材６と、帯状部材６に固着される連結具２と、帯状部材６に回動自在に装着されるバックル８と、バックル８に回動自在に配設されるピン９と、連結具２により連結されるベルト本体１０とを有し、連結具２は、支持部４と、支持部４に軸部材１２を介して回動自在に配設される回動部材３とを有し、連結具２が閉じた状態のときには、回動部材３が永久磁石１１の磁力により帯状部材６に当接した状態が維持されるベルト１が提供される。したがって、磁力により、連結具２が閉じた状態をしっかり維持できると共に、簡易な操作で連結具２を開くことができるので、操作性がよく、連結具２本来の機能も担保されている。
【００２３】
（２）上記（１）において、連結具２の回動部材３は、刃部３ａを有し、連結具２が閉じた状態のときには、刃部３ａがベルト本体１０に噛合してベルト本体１０の連結状態が維持されるようにしてもよい。従って、閉じた状態においては、連結具２の刃部３ａがしっかりとベルト本体１０の連結状態を維持することができる。更に、ベルト本体１０をバックル装着側に押し込むことで、簡易に連結具２を開くことも可能である。
【００２４】
（３）上記（１）又は（２）において、連結具２の回動部材３は、突出部３ｂを有し、連結具２が閉じた状態のときには、突出部３ｂが、永久磁石１１の磁力により帯状部材６に当接した状態が維持されるようにしてもよい。従って、磁力により、連結具２が閉じた状態をしっかりと維持することが可能である。
【００２５】
以上、本考案の実施形態について説明したが、本考案はこれに限定されることなく、その趣旨を逸脱しない範囲で種々の改良・変更が可能である。
【００２６】
例えば、上記実施形態では、円形の永久磁石を帯状部材で内包させる構成としたが、これには限定されず、各種形状、サイズの永久磁石を採用できることは勿論である。
【符号の説明】
【００２７】
１  …ベルト
２  …連結具
３  …回動部材
３ａ…刃部
３ｂ…突出部
４  …支持部
５  …固定部
５ａ…刃部
６  …帯状部材
７  …位置決め部
８  …バックル
９  …ピン
１０  …ベルト本体
１１  …永久磁石
１２  …軸部材
【図１】
0003223491.tif 000003
【図２】
0003223491.tif 000004
【図３】
0003223491.tif 000005